(57)【要約】      （修正有）【課題】判別具により視認可能な潜像と、特定波長の光を照射することにより視認可能な潜像を有する潜像印刷物を提供する。【解決手段】基材１上に、複数の等色の画素が規則的に配列されて二つの潜像模様が形成された潜像印刷物であって、複数の画素において、第１の方向に位相をずらして配置された第１の領域３による第１の潜像模様と、機能性を有するインキにより印刷された第２の領域４による第２の潜像模様から成る潜像印刷物である。【選択図】図１
2008207335.tif 000002
【特許請求の範囲】
【請求項１】
基材上に、複数の等色の画素が規則的に配列されて二つの潜像模様が形成された潜像印刷物であって、前記複数の画素において、第１の方向に位相をずらして配列された第１の領域による第１の潜像模様と、機能性を有するインキにより印刷された第２の領域による第２の潜像模様から成る潜像印刷物。
【請求項２】
前記機能性を有するインキにより印刷された第２の領域内において、前記第１の方向とは異なる第２の方向に、前記複数の画素の位相をずらして配列された第３の潜像模様を有する請求項１記載の潜像印刷物。
【請求項３】
基材上に、複数の等色の画素が規則的に配列されて二つの潜像模様が形成された潜像印刷物であって、前記複数の画素において、第１の方向に位相をずらし、かつ、機能性を有するインキにより印刷された第１の領域による第１の潜像模様と、機能性を有さないインキで印刷された第２の領域による第２の潜像模様から成り、前記第１の領域及び前記第２の領域以外の領域が、前記第１の領域を印刷した機能性を有するインキで印刷されて成る潜像印刷物。
【請求項４】
前記機能性を有さないインキにより印刷された第２の領域内において、前記第１の方向とは異なる第２の方向に、前記複数の画素の位相をずらして配列された第３の潜像模様を有する請求項３記載の潜像印刷物。
【請求項５】
前記機能性を有するインキが、所定の光を照射した時に励起若しくは発光するインキ、所定の温度により変色する示温インキ、所定の角度により色彩が変化する光学的変化インキ又は指定のフィルターを介して色彩が変化するインキのいずれか一つである請求項１、２、３又は４記載の潜像印刷物。
【発明の詳細な説明】
【技術分野】
【０００１】
本発明は、銀行券、株券、債券等の有価証券並びに各種証明書及び重要書類等の偽造防止及び複製防止が必要とされる印刷物に関するものである。
【背景技術】
【０００２】
銀行券、株券、債券等の有価証券並びに各種証明書及び重要書類等の印刷物は、その価値を保証又は維持する必要があるため、特殊な印刷パターンを施した印刷物に万線フィルタ又はレンチキュラーレンズ等の判別具を重ね合わせることにより潜像画像が発現する印刷物と、該潜像画像の有無を視認することにより印刷物の真偽判別を行う方法がある。
【０００３】
例えば、万線フィルタから成る判別具を重ね合わせることにより潜像画像が発現する印刷物とその真偽判別方法としては、万線画線で印刷した背景画像部と、背景画像部と異なる角度の万線画線で印刷した潜像画像部とを有する印刷物が存在する。当該印刷物の背景画像部と潜像画像部は、区分けして視認することが一見困難であるが、万線フィルタを印刷物に所定の角度で重ね合わせた場合には背景画像部と潜像画像部を区分けして視認できる方法が知られている。
【０００４】
その一例としては、第１の方向と第２の方向に位相変調されたパターンが形成された印刷物と、当該印刷物の第1の方向と万線状フィルタの万線状パターンの方向とを一致するように前記万線状フィルタを重ね合わせることにより形成される第１の多階調画像と、前記万線状フィルタの重ね合わせる角度を前記印刷物の第２の方向に一致するように変えると第２の多階調画像が形成されることを特徴とする印刷物及び画像形成法がある（例えば、特許文献１参照）。
【０００５】
また、基材上に、線部と非線部でなり、同一ピッチ及び幅から成る万線パターンに対し、万線位相を１／２ピッチずらして形成された潜像部を備えている複数種の潜像万線パターンが、それぞれ異なる角度で重ね合わされて印刷された潜像を有する印刷物であって、前記複数種の潜像万線パターンがそれぞれ色違いであることを特徴とする印刷物と、前記印刷物の万線パターンと同一ピッチのフィルムを前記複数種の潜像パターンに重ね合わせることにより潜像部を顕像化することを特徴とする画像形成法がある（例えば、特許文献２参照）。
【０００６】
また、基材上に、レンズアレイ（ハエの目レンズ、ハニカムレンズ、レンチキュラーレンズ等）を重ねることにより画像が現れるドットパターンを構成するそれぞれのドットが、少なくとも２種類以上のスクリーン線数で、かつ、少なくとも２種類以上のスクリーン角度の網点から成る印刷物において、真正物であればドットパターンを構成するそれぞれのドットの網点面積率が同じであるためレンズアレイを重ねることにより特定画像が現出し、複写物の場合はコピーすることによりスクリーン線数の大きさ又は網点角度で再現されるドットが潰れ、ドットの濃度が変化することにより前記特定画像と異なる画像が現出する印刷物がある（例えば、特許文献３参照）。
【０００７】
【特許文献１】特開平１０−２３０６７４号公報
【特許文献２】特開２００４−１７４９９７号公報
【特許文献３】特開２００１−３２４９４９号公報
【発明の開示】
【発明が解決しようとする課題】
【０００８】
しかしながら、特開平１０−２３０６７４号公報は、判別具を重ね合わせる方向（角度）を印刷物の方向に応じて変える煩わしさがある。また、万線状フィルタ等により形成される画像は、単色の多階調画像に制限されるという問題があった。
【０００９】
また、特開２００４−１７４９９７号公報は、多色の画像を形成することは可能であるが、万線位相を１／２ピッチ、すなわち同一ピッチでずらしていることから顕像化する潜像画像は２階調画像となる。また、複数種の潜像万線パターンをそれぞれ異なる角度に重ね合わせて印刷しているため、多階調の潜像画像を形成するには、それぞれの潜像万線パターンの角度に合わせて判別具の重ねる角度を変える煩わしさがあった。さらに、潜像万線パターンの組合せの種類数は、３色が限度であり、それ以上の色を使用した場合は、潜像全体が黒ずみ、顕像化しても色再現性等が劣るという問題があった。
【００１０】
また、特開２００１−３２４９４９号公報は、入出力解像度の特性を利用したものであり、昨今の複写機やインキジェット複合機等のデジタル機器類における画像の入出力解像度の高精細化又はモアレ低減機能等の補正機能の発達によって、ドットパターンをつぶれないように複写又はモアレ低減機能等により、ドット濃度の濃淡の発生の抑制がなされるおそれがある。
【課題を解決するための手段】
【００１１】
本発明は、基材上に、複数の等色の画素が規則的に配列されて二つの潜像模様が形成された潜像印刷物であって、複数の画素において、第１の方向に位相をずらして配列された第１の領域による第１の潜像模様と、機能性を有するインキにより印刷された第２の領域による第２の潜像模様から成る潜像印刷物である。
【００１２】
本発明は、機能性を有するインキにより印刷された第２の領域内において、第１の方向とは異なる第２の方向に、複数の画素の位相をずらして配列された第３の潜像模様を有する潜像印刷物である。
【００１３】
本発明は、基材上に、複数の等色の画素が規則的に配列されて二つの潜像模様が形成された潜像印刷物であって、複数の画素において、第１の方向に位相をずらし、かつ、機能性を有するインキにより印刷された第１の領域による第１の潜像模様と、機能性を有さないインキで印刷された第２の領域による第２の潜像模様から成り、第１の領域及び第２の領域以外の領域が、第１の領域を印刷した機能性を有するインキで印刷されて成る潜像印刷物である。
【００１４】
本発明は、機能性を有さないインキにより印刷された第２の領域内において、第１の方向とは異なる第２の方向に、複数の画素の位相をずらして配列された第３の潜像模様を有する潜像印刷物である。
【００１５】
本発明は、機能性を有するインキが、所定の光を照射した時に励起若しくは発光するインキ、所定の温度により変色する示温インキ、所定の角度により色彩が変化する光学的変化インキ又は指定のフィルターを介して色彩が変化するインキのいずれか一つである潜像印刷物である。
【発明の効果】
【００１６】
本発明の潜像印刷物は、規則的に複数配列した等色の画素により潜像画像を形成しているため、潜像印刷物を肉眼でのみ観察した場合には潜像画像を視認することは困難である。
【００１７】
また、本発明の潜像印刷物は、複数の画素において、第１の方向にずらした位相に合わせてレンチキュラーレンズ等の判別具を密着させたとき、第１の潜像模様が視認され、第２の領域を印刷した機能性インキに対応した処理を行うことで第２の潜像模様が視認されるため、潜像画像の明瞭性（判別性）が良好である。
【００１８】
また、本発明の潜像印刷物は、第２の領域内で第１の方向とは異なる第２の方向に画素の位相をずらすことで、第２の方向にずらした位相に合わせてレンチキュラーレンズ等の判別具を密着させたとき、第３の潜像模様も視認されるため、一つの印刷物において三つの潜像模様を形成することができ、偽造防止効果が高い印刷物が提供できる。
【００１９】
また、本発明の潜像印刷物は、潜像を形成する第１の領域の画素を同一方向に対して多階調に位相変調されて形成されていることから、潜像画像を多階調画像により表現することができる。
【００２０】
また、本発明の潜像印刷物は、機能性材料を含有するインキにより潜像画像を形成しているため、スキャナやコピー機等を使用した複写等による偽造を防止することができる。
【発明を実施するための最良の形態】
【００２１】
以下、本発明の実施を実施するための最良の形態について図面を参照して説明する。しかしながら、本発明は以下に述べる実施するための最良の形態に限定されるものではなく、特許請求の範囲の記載における技術的思想の範囲内であれば、その他の色々な実施の形態が含まれる。
【００２２】
本発明の潜像印刷物は、可視光（又は自然光）では情報は視認できないが、規則的に配置された画素の一部を位相変調によって意図的にずらし、レンチキュラーレンズを重ねることで第１の情報（又は潜像）が視認できることと、画素を領域分けして機能性を有するインキから成る画素と機能性を有さないインキから成る画素を等色に印刷し、紫外線や赤外線等のある特定波長を照射すると、機能性を有する領域のみが第２の情報（又は潜像）として視認できることを特徴としている。なお、等色とは機能性を有するインキから成る画素と機能性を有さないインキから成る画素を可視光（又は自然光）で観察した場合に、等しい色に観察されることであり、メタメリズムの関係である特定の光源下で等しく見えた色が異なる色で観察された場合においても、本明細書では前記の画素は等色であると定義するものとする。
【００２３】
図１は、本発明の潜像印刷物Ａ１の一例を示す平面図である。図１に示すように潜像印刷物Ａ１は、基材１上に画素をマトリックス状に印刷しており、可視光下では一様な地模様２として視認できる。また、画素により印刷されたすべての印刷領域５内には、第１の領域３（「１」の領域）と第２の領域４（「H」の領域）と模様領域７（「１」又は「H」以外の印刷領域）が設けられている。しかし、可視光下では潜像印刷物Ａ１を目視しても「１」や「Ｈ」の情報は視認できない。
【００２４】
図２は、潜像印刷物Ａ１にレンチキュラーレンズＬを重ね合わせた場合の観察図である。図２（ａ）に示すように潜像印刷物Ａ１にレンチキュラーレンズＬを重ねた場合は、第１の領域３により第１の潜像、具体的には「１」の文字が視認することができる。図２（ｂ）は、第１の領域３とその周辺の模様領域７の拡大図である。図２（ｂ）に示すように、第１の領域３は、画素３’、模様領域７は画素７’によりそれぞれ構成されており、画素３’及び画素７’の形状、大きさ、ピッチ及び色は同一であり、画素を構成するインキには、どちらも機能性を有さない。ただし、第２の領域４と重複している領域の画素はこの限りではない。また、画素の配列は、縦方向（Ｙ方向）において同一延長線上（又は同一直線上）に画素３’と画素７’を配置している。しかし、横方向（Ｘ方向）においては、画素３’と画素７’は同一延長線上（又は同一直線上）に配置しておらず、画素３’は位相変調によりずれている。なお、画素７’に対して画素３’のずれ量を小さくすることで、潜像印刷物Ａ１を可視光で視認しても、情報は視認できなくなる。
【００２５】
図２（ａ）、（ｂ）に示すように、潜像印刷物Ａ１にレンチキュラーレンズＬを重ね合わせて観察した場合は、第１の領域３を第１の潜像として視認できる。すなわち、画素３’と画素７’とは、同一延長線上に配置せず、位相変調させているため、第１の領域３は情報、具体的には「１」という数字を視認できる。
【００２６】
レンチキュラーレンズＬは、蒲鉾状のレンズが万線のように複数形成されているため、第１の領域の位相変調方向と蒲鉾状のレンズの配列されている方向が一致するように（具体的にはＹ方向）レンチキュラーレンズＬを潜像印刷物Ａ１に重ねて合わせることにより、位相変調して形成された第１の領域が拡大され、その他の領域が消失又は隠蔽された状態になるため第１の領域が第１の潜像として視認される。
【００２７】
図３は、潜像印刷物Ａ１に光源Ｋにより特定波長の光を照射した場合における第２の潜像が視認された状態を示す図である。図３（ａ）に示すように、潜像印刷物Ａ１に特定波長の光を照射した場合は、第２の領域４の「Ｈ」の文字を第２の潜像として視認することができる。図３（ｂ）は、第２の領域４とその周辺の模様領域７の拡大図である。図３（ｂ）に示すように、第２の領域４は、画素４’、模様領域７は画素７’でそれぞれ構成されており、画素４’及び画素７’の配列、大きさ、ピッチ及び色は同一である。このため、可視光下では、潜像印刷物Ａ１を視認しても第２の領域４から成る「Ｈ」という情報は視認できない。一方、画素４’を構成するインキは機能性を有するが、画素７’を構成するインキは機能性を有さないため、特定波長の光を照射すると、第２の領域４から成る「Ｈ」という情報が視認できる。このため、潜像印刷物Ａ１は、可視光下でレンチキュラーレンズＬを重ねることで、第１の領域３による「１」という情報が視認できる。
【００２８】
一方、特定波長の光を照射すると、図３に示すように、第２の領域４の「Ｈ」という情報が視認できるため二種類の情報が付与できる。なお、本発明の構成で、第１の領域３と第２の領域４とが重複している領域の画素は、画素３’と画素４’との両方の構成を併せ持つことになる。また、画素３’、画素４’、画素７’については、模式的に示すために大きく例示しているが、実際には視認できないほど微細な画素で印刷されていることが望ましい。また、機能性を有するインキは、第２の領域４にカーボンブラックを使用することが好ましい。また、機能性を有さないインキは、第２の領域以外の領域を、シアン、マゼンタ、イエローの３色によるブラックを使用することが好ましい。
【００２９】
図４は、本発明の別の形態である潜像印刷物Ａ２の一例を示す平面図である。図４に示すように、潜像印刷物Ａ２は、図１から図３の潜像印刷物Ａ１に対し、第２の領域４の配置や構成を変えているが、そのほかの構成は同一であるため、特に異なる構成のみ説明する。模様領域７の画素７’は機能性を有さないインキで構成されている。また、第１の領域３の画素３’は機能性を有するインキで構成されているが、一部の画素３’は機能性を有する領域３’ａと機能性を有さない領域３’ｂで構成されている。また、第１の領域３は、第２の領域４内に有している。この時、第１の領域３の画素３’は、第２の領域４の画素４’に対して、画素の配列は、縦方向（Ｙ方向）において同一延長線上（又は同一直線上）に画素３’と画素４’を配置している。しかし、横方向（Ｘ方向）においては、画素３’と画素４’は同一延長線上（又は同一直線上）に配置しておらず、画素３’は位相変調によりずれている。なお、画素３’と画素４’の形状、大きさ、ピッチ及び色は同一である。また、機能性を有する領域３’ａの機能性は画素４’と同一とする。なお、図４（ｃ）には、縦方向に分割し、上半分の画素３’ａは機能性を有し、下半分の画素３’ｂは機能性を有さない例で示しているが、横方向の分割でも構わない。
【００３０】
図４（ａ）に示すように、潜像印刷物Ａ２を可視光下でレンチキュラーレンズＬを重ねると、第１の領域３により「１」の情報が視認できる。一方、レンチキュラーレンズＬを重ねた状態で特定波長を照射すると、機能性を有する第１の領域３の画素３’と画素３’ａが、レンチキュラーレンズＬを通して視認できる。一方、模様領域７の画素７’と第１の領域３の画素３’ｂは、機能性を有さないため、レンチキュラーレンズＬを通して視認できない。したがって、視認できる情報は、第１の領域３の「１」となる。また、第１の領域３の画素３’ｂは視認できないため、「１」の中に第２の情報として「長方形」が視認できる。このため、潜像印刷物Ａ２は、レンチキュラーレンズＬを重ねて、可視光と特定波長の二通りの環境で、二つの情報を視認することができる。
【００３１】
図５は、本発明の別の形態である潜像印刷物Ａ３の一例を示す平面図である。図５に示すように潜像印刷物Ａ３は、図１から図３の潜像印刷物Ａ１に対し、第２の領域４の配置や構成を変えており、第１の領域３は、第２の領域４内に配置されている。また、第２の領域４の内部に新たな領域を設け、画素の位相変調による配置や構成を変えているが、そのほかの構成は同一であるため、特に異なる構成のみ説明する。図５（ｄ）に示すように模様領域７の画素７’は、機能性を有さないインキで構成されているが、第１の領域３の画素３’は機能性を有しており、縦方向（Ｙ方向）に位相変調され、ずれて配置されている。また、第２の領域４は、領域内に第３の領域６を有している。第３の領域６の画素６’は、第２の領域４の画素４’に対して、機能性を有していること、形状、大きさ、ピッチ及び色は同一である。しかし、画素６’の配置位置は、画素３’の配置位置と異なる方向（Ｘ方向）に位相変調され、画素３’の配置位置と異なる方向にずれて配置されている。
なお、ここでは、説明しやすいように画素の位相変調の方向をＸＹ方向としているが、位相変調する画素が規則的に配列されていれば、位相変調の方向はＸＹ方向に限るものではない。
【００３２】
図５（ａ）に示すように、潜像印刷物Ａ３に可視光下でレンチキュラーレンズＬを重ねると、第１の領域３により「１」の情報が視認できる。また、図５（ｂ）に示すように、潜像印刷物Ａ３に特定波長を照射すると、特定波長を吸収する機能性を有する第２の領域４により「☆」の情報が視認できる。さらに、図５（ｃ）に示すように、図５（ａ）と異なる方向にレンチキュラーレンズＬを重ねた状態で特定波長を照射すると、特定波長を吸収する機能性を有する第２の領域４内の第３の領域６の画素６’は、レンチキュラーレンズＬを通して視認できる。
【００３３】
一方、第３の領域６以外の領域は、位相変調による画素の配置位置が異なるため、レンチキュラーレンズＬにより視認できない。したがって、視認できる情報は、第１の領域３の「１」と、第２の領域４の「☆」と、第２の領域４内に第３の領域６を形成した場合は、「☆」の中に第３の情報として「◎」を視認できる。このため、潜像印刷物Ａ３は、特定波長を照射することにより一つの情報を視認することができ、レンチキュラーレンズＬを重ねることで、可視光と特定波長の二通りの環境により、二つの情報を視認することができる。よって、三つの情報を視認することができる。
【００３４】
潜像印刷物Ａ１、Ａ２及びＡ３の画素の形状は、一例として画素３’、画素４’、画素７’及び画素６’の形状を円形としているが、画素の形状は特に限定されず、正方形、長方形、円、楕円、星形又は多角形等の形状にすることができる。また、各画素の形状はすべて同一とすることが望ましいが、特に限定されるものではない。また、潜像印刷物Ａ１、Ａ２及びＡ３は、画素の大きさ（高さ及び幅）と配置間隔（ピッチ）の関係を１：２としたが、画素の大きさと配置間隔は特に限定されるものではない。また、潜像印刷物Ａ１、Ａ２及びＡ３の画素の配置間隔は、水平方向と垂直方向を同一としたが、特に限定されるものではない。なお、潜像画像の視認性を向上させるために、レンチキュラーレンズのピッチ方向と同一方向となる画素の配置間隔は、レンチキュラーレンズのピッチとほぼ同じにすることが望ましいが、この限りではない。
【００３５】
潜像印刷物Ａ１、Ａ２及びＡ３を印刷する基材１は、紙、プラスチック、フィルム及び金属板等、特に限定されるものではない。
【００３６】
本発明の潜像印刷物Ａ１、Ａ２及びＡ３を印刷する印刷方式は、オフセット印刷方式、グラビア印刷方式、スクリーン印刷方式、フレキソ印刷方式、インキジェットプリンタ及びレーザプリンタ等、特に限定されるものではない。
【００３７】
本発明の潜像印刷物Ａ１、Ａ２及びＡ３の印刷領域５のデザインは、文字、数字、記号及び絵柄の少なくとも一つで構成することができるため、特に限定されるものではない。また、同様に第１の領域３、第２の領域４、第３の領域６のデザインも、文字、数字、記号及び絵柄等、特に限定されるものではない。
【００３８】
また、機能性材料は特に限定するものではなく、赤外線吸収剤、発光剤として、例えば紫外線励起可視発光剤、紫外線励起赤外発光剤、赤外線励起可視発光剤、赤外線励起赤外発光剤、可視光励起赤外発光剤又は可視光励起可視発光剤等の発光剤、示温インキに用いられるコレステリック液晶等の公知の機能性材料を使用することができる。また、光学的変化特性を有するインキは、パールインキ等の公知の光学的変化特性を有するインキを使用することができる。
【００３９】
例えば、機能性材料として赤外線吸収色素を含有するインキを使用する場合は、赤外線吸収特性があれば特に限定されず、公知のグラビアインキ、スクリーンインキ、プロセスインキ等を使用することができる。例えば、プロセスインキであるシアン(Ｃ)、マゼンタ(Ｍ)、イエロー(Ｙ)、ブラック(Ｂｋ)の基本４色インキ（以下「基本４色インキ」という）のうちのブラック(Ｂｋ)等を使用することができる。このブラックインキは、例えばカーボンブラックを主体とする黒色顔料を使用した場合には、紫外線領域から赤外線領域まで全域にわたり吸収特性を有している。また、赤外線吸収特性を有するインキはブラックインキに限らず、赤外線吸収性色素を含まない特色インキにカーボンブラックを添加したインキを使用することもできる。なお、特色インキとは、基本４色インキを除く、特殊な色を有するインキのことである。
【００４０】
また、画素に赤外線吸収剤を含有したインキを使用する場合、他の画素には等色で赤外線吸収剤を含有しないインキを使用することが好ましい。赤外線吸収性色素を含まないインキとしては、赤外線吸収特性を有さなければ特に限定されず、公知のグラビアインキ、スクリーンインキ、プロセスインキ等を使用することができる。例えば、基本４色インキのうち、シアン(Ｃ)、マゼンタ(Ｍ)、イエロー(Ｙ)は、赤外線を吸収しない性質を持っており、これら３色を重ね合わせたもので黒色系を表現すれば赤外線を吸収しない色素と同様な効果が得られる。又はクロモファインブラックインキ（大日精化工業株式会社製）やインキジェットプリンタ用の染料系インキ（例えば、Ｃａｎｏｎ製染料系ブラックインキ等）を使用することもできる。
【００４１】
また、例えば、赤外線吸収性色素を含有しないインキを使用せず、赤外線吸収性色素を含有するインキにより画素４’と画素７’を印刷する場合は、画素４’と画素７’を印刷する赤外線吸収性色素を含むインキをそれぞれ相対的な配合、すなわち、いずれか一方の画素を印刷するインキの赤外線吸収色素の含有量を他方より少なくするか、又は多く含有することにより階調の異なる潜像印刷物を作製することもできる。なお、この場合の潜像印刷物を赤外線カメラにより観察した場合は、画素４’が画素７’に対して相対的に視認することができる。
【００４２】
次に、機能性材料として発光剤を含有するインキを使用した潜像印刷物について説明する。機能性材料として紫外線発光剤を含有するインキを使用する場合は、機能性材料が特定波長により発光特性を有すれば特に限定されず、紫外線励起により赤外発光する蛍光顔料、赤外線励起により可視発光する蛍光顔料、可視光により赤外発光する蛍光顔料等、特定波長の光を照射することにより発光する公知の材料を使用することができる。
【００４３】
例えば、画素４’に発光剤を含有するインキを使用した場合は、画素７’を画素４’と等色で発光剤の含有しないインキにより形成することが好ましい。発光剤を含まないインキは、発光特性を有さなければ特に限定されず、公知のインキを使用することができる。なお、蛍光顔料を含むインキを用いて構成された画素４’は、蛍光顔料を含む無色のインキを使用し、蛍光顔料を含まないインキの上に刷り重ねても同様の効果が得られる。
【００４４】
次に、機能性材料として示温インキに用いられるコレステリック液晶等を使用した潜像印刷物について説明する。機能性材料として示温インキに用いられるコレステリック液晶等を含有するインキを使用する場合には、機能性材料が示温特性を有すれば特に限定されず、公知の材料を使用することができる。例えば、画素４’に示温インキに用いられるコレステリック液晶等を含有するインキを使用した場合は、画素７’を画素４’と等色でコレステリック液晶等を含有しないインキを使用するか、又は等色で特性の異なるコレステリック液晶等を使用することが好ましい。
【００４５】
次に、光学的変化特性を有するインキとしてパールインキを使用した潜像印刷物について説明する。光学的変化特性を有するインキを使用する場合には、光学的変化特性を有すれば特に限定されず、公知の材料を使用することができる。例えば、画素４’にパールインキを使用した場合は、画素７’を画素４’と等色で光学的変化特性を有さないインキを使用するか、又は等色で光学的変化特性の異なるパールインキを使用することが好ましい。
【００４６】
次に、メタメリズム特性を有するインキを使用した潜像印刷物について説明する。画素４’を形成するインキとしてメタメリズム特性を有するインキを使用する場合は、インキがメタメリズム特性を有すれば特に限定されず、公知の材料を使用することができる。画素４’にメタメリズム特性を有するインキを使用した場合は、画素７’に画素４’に使用するインキとメタメリズムの関係にあるインキを使用することが好ましい。
【００４７】
本発明の潜像印刷物Ａ１からＡ３までの第１の領域３、第２の領域４及び模様領域７を形成する画素３’、画素４’及び画素７’の色は、それぞれ１色のみならず、２色以上の色を使用することができる。例えば、第１の領域３、第２の領域４及び模様領域７の画素を２色（ブラックインキとマゼンタインキ）の画素で形成することができる。また、プロセス基本４色インキを使用してもよい。さらに、位相変調の階調も潜像印刷物Ａ１からＡ３までの図では２階調の位相変調で説明したが、２５６階調などの多階調でもよい。よって、プロセス４色で画素を構成し、２５６階調の位相変調で潜像画像部を形成すれば、第１の潜像として２５６階調のフルカラー画像を得ることができる。このように所望の色数の多階調画像を得ることができる。
【００４８】
また、画素の配置は、例えば２色の場合、２色の画素を水平方向に交互に配置し、垂直方向は同色の配置としてもよい。また、２色の画素を垂直方向に交互に配置し、水平方向を同色の配置としてもよい。さらに、水平方向、垂直方向ともに２色を交互に配置することもできる。
【００４９】
また、例えば、プロセス４色インキの場合は、４色とも水平方向に配置又は垂直方向に配置することもできるが、２色を水平方向、２色を垂直方向の組合せにしても所望の効果は得られる。また、各色の配置順も特に限定されるものではない。さらに、周期性のない配置（各色交互に配置しない任意な配置）にすることもできる。なお、各色の画素の位相変調方向の配置間隔はレンズのピッチにほぼ一致することが望ましい。さらに、この場合、特に４色以上で視認性の良いフルカラー画像を得るためには、位相変調方向に４色配置するよりも、位相変調方向とは異なる方向に４色の画素を配置することが望ましい。又は、位相変調方向に２色、位相変調方向とは異なる方向に２色の組合せとした配置が望ましい。これは、位相変調方向の配置の場合、配置間隔はレンズのピッチに依存するため、配置間隔に制約があり、潜像画像の視認性、色再現性が低下するおそれがあるからである。一方、位相変調方向とは異なる方向の配置の場合、レンズのピッチに依存することなく、配置間隔を設定できるので、画素の配置を潜像画像の視認性や画素の配置のデザイン性に応じた配置に設定することができる。
【実施例】
【００５０】
以下、上記の本発明の潜像印刷物について具体的な実施例を挙げ、詳細に説明する。
【００５１】
（実施例１）
図６を用いて、基材１に赤外線吸収性色素を含有するインキ（ブラックＡ）と赤外線吸収性色素を含有しないインキ（ブラックＢとマゼンタ）を使用した潜像印刷物Ｂ１の例について説明する。第１の領域３は、赤外線吸収性色素を含有するインキ（ブラックＡ）による画素３Ｋ’と、赤外線吸収性色素を含有しないインキ（マゼンタ）による画素３Ｍ’の配置方向を同一方向に位相変調してずらして形成した。第２の領域４は、画素３Ｋ’と同じ赤外線吸収性色素を含有するインキ（ブラックＡ）による画素４Ｋ’と、画素３Ｍ’と同じ赤外線吸収性色素を含有しないインキ（マゼンタ）による画素４Ｍ’を規則的に配置して形成した。また、模様領域７は、画素３Ｋ’と等色の赤外線吸収性色素を含まないインキ（ブラックＢ）による画素７Ｋ’と画素３Ｍ’と同じ赤外線吸収性色素を含有しないインキ（マゼンタ）による画素７Ｍ’を規則的に配置して形成した。
【００５２】
具体的には、基材として市販のインキジェットプリンタ用専用紙（Ｃａｎｏｎ社製  高品位専用紙）を使用し、マゼンタとブラックの２色のインキを用いて市販のインキジェットプリンタ（Ｃａｎｏｎ社製  ＰＩＸＵＳ  ＭＰ９５０）により印刷を行った。赤外線吸収性色素を含むインキとしては、顔料系ブラックインキを用い、赤外線吸収性色素を含まないインキとして染料系ブラックインキ及びマゼンタインキを用いた。画素は、一辺の長さが１２７μｍの正方形とし、画素の配置は、２色の画素を水平方向に交互に配置し、配置間隔は水平方向及び垂直方向ともピッチを２５４μｍとした。
【００５３】
潜像印刷物Ｂ１にレンチキュラーレンズＬを重ね合わせて観察した場合は、図６（ａ）に示すように、第１の領域を第１の潜像として視認することができた。レンチキュラーレンズＬは、蒲鉾状のレンズが万線のように複数形成されている。第１の領域３の位相変調方向と蒲鉾状のレンズが配列されている方向が一致するように、レンチキュラーレンズＬを潜像印刷物Ｂ１に重ねて合わせた場合は、位相変調して形成された第１の領域３が拡大されるため、第１の潜像として「１」を視認することができた。
【００５４】
潜像印刷物Ｂ１に対して赤外線光源Ｋ１による赤外線を照射し、赤外線カメラを用いて観察した場合は、図６（ｂ）に示すように第２の領域を第２の潜像として「☆」を視認することができた。一方、模様領域７の画素７Ｋ’と画素７Ｍ’、第１の領域３の画素３Ｍ’、第２の領域の画素４Ｍ’は、赤外線吸収性色素を含まないインキにより印刷されているために赤外線を透過する特性を有し、赤外線カメラを用いて観察した場合には視認することはできなかった。
【００５５】
また、赤外線吸収性色素を含むインキと赤外線吸収性色素を含まないインキは等色であるため、潜像印刷物Ｂ１を通常の光源下や自然光（可視光）で観察した場合には、赤外線吸収性色素を含むインキを用いて印刷された画素４Ｋ’と、赤外線吸収性色素を含まないインキを用いて印刷された画素７Ｋ’を区分けして視認することはできなかった。
【００５６】
（実施例２）
図７を用いて、基材１に赤外線吸収性色素を含有するインキ（ブラックＡ）と、赤外線吸収性色素を含有しないインキ（イエロー、マゼンタ、シアン）を使用した潜像印刷物Ｂ２の例について説明する。第１の領域３は、赤外線吸収性色素を含有するインキ（ブラックＡ）による画素３Ｋ’と、赤外線吸収性色素を含有しないインキ（マゼンタ）による画素３Ｍ’の配置方向を同一方向に位相変調してずらして形成した。第２の領域４は、画素３Ｋ’と同じ赤外線吸収性色素を含有するインキ（ブラックＡ）による画素４Ｋ’と、赤外線吸収性色素を含有しないインキ（マゼンタ）による画素４Ｍ’を規則的に配置して形成した。また、模様領域７は、画素３’と等色の赤外線吸収性色素を含まないインキ（イエロー、マゼンタ、シアンで構成されたブラック）による画素７Ｋ’と、赤外線吸収性色素を含有しないインキ（マゼンタ）による画素７Ｍ’を規則的に配置して形成した。
【００５７】
具体的には、基材として市販のインキジェットプリンタ用専用紙（Ｃａｎｏｎ社製  高品位専用紙）を使用し、基本４色インキを用いて市販のインキジェットプリンタ（Ｃａｎｏｎ社製  ＰＩＸＵＳ  ＭＰ９５０）により印刷を行った。赤外線吸収性色素を含むインキとしては、顔料系ブラックインキを用い、赤外線吸収性色素を含まないインキとしてはシアン、マゼンタ、イエローの三原色で構成されたブラックインキ及びマゼンタインキを用いた。画素は、一辺の長さを１２７μｍの正方形とし、画素の配置は、２色の画素を水平方向に交互に配置し、配置間隔は、水平方向及び垂直方向ともピッチを２５４μｍとした。
【００５８】
潜像印刷物Ｂ２にレンチキュラーレンズＬを重ね合わせて観察した場合は、図７（ａ）に示すように第１の領域を第１の潜像として視認することができた。レンチキュラーレンズＬは、蒲鉾状のレンズが万線のように複数形成されている。第１の領域３の位相変調方向と蒲鉾状のレンズが配列されている方向が一致するように、レンチキュラーレンズＬを潜像印刷物Ｂ２に重ねて合わせた場合は、位相変調して形成された第１の領域３が拡大されるため、第１の潜像として「１」を視認することができた。
【００５９】
潜像印刷物Ｂ２に対して赤外線光源Ｋ２による赤外線を照射し、赤外線カメラを用いて観察した場合は、図７（ｂ）に示すように、第２の領域を第２の潜像として「☆」を視認することができた。一方、模様領域７の画素７Ｋ’と画素７Ｍ’、第１の領域３の画素３Ｍ’、第２の領域の画素４Ｍ’は、赤外線吸収性色素を含まないインキにより印刷されているために赤外線を透過する特性を有し、赤外線カメラを用いて観察した場合には視認することはできなかった。また、前記赤外線吸収性色素を含むインキと赤外線吸収性色素を含まないインキは等色であるため、潜像印刷物Ｂ１を通常の光源下や自然光（可視光）で観察した場合には、赤外線吸収性色素を含むインキを用いて印刷された画素４Ｋ’と、赤外線吸収性色素を含まないインキを用いて印刷された画素７Ｋ’を区分けして視認することはできなかった。
【００６０】
（実施例３）
次に、図８を用いて、基材１に紫外線励起可視発光剤を含有するインキ（マゼンタに無色蛍光インキを加刷）により印刷した画素４Ｍ’と、紫外線励起可視発光剤を含有しないインキ（ブラック）により印刷した画素４Ｋ’から成る第２の領域４と、さらに紫外線励起可視発光剤を含有するインキ（マゼンタに無色蛍光インキを加刷）により印刷した画素３Ｍ’と、紫外線励起可視発光剤を含有しないインキ（ブラック）により印刷した画素３Ｋ’から成る第１の領域３と、紫外線励起可視発光剤を含有しないインキ（マゼンタとブラック）により印刷した画素７Ｍ’と画素７Ｋ’から成る模様領域７を有する潜像印刷物Ｂ２の例について説明する。なお、各領域の形成、画素の配置位置、大きさ、ピッチ及び形状等の構成は潜像印刷物Ｂ１と同一であるため、特に異なる構成のみ説明する。
【００６１】
具体的には、基材として蛍光増白剤を含有しない厚さ９７μｍの白色上質紙（福井紙業（株）社製）を使用し、マゼンタとブラックの２色のインキを使用して市販のインキジェットプリンタ（ＥＰＳＯＮ社製  ＰＸ−Ｖ６３０）で印刷を行った。発光剤を含まないインキとしては、マゼンタインキとブラックインキを用い、発光剤を含むインキとして紫外線を照射することによりイエローに発光する無色蛍光インキ（ダイコー社製  ＥＰＳＯＮ用ブラックライト対応インキ  イエロー）を用い、マゼンタインキの画素に加刷した。
【００６２】
潜像印刷物Ｂ３にレンチキュラーレンズＬを重ね合わせて観察した場合は、図８（ａ）に示すように第１の潜像を視認することができた。
【００６３】
潜像印刷物Ｂ３にブラックライトＫ３により紫外線を照射して観察した場合は、図８（ｂ）に示すような第２の潜像を視認することができた。図８に示すように、潜像印刷物Ｂ３の第２の領域４の画素４Ｍ’及び第１の領域３の画素３Ｍ’により形成されている領域は、紫外線励起可視発光剤を含むインキを使用しているため第２の潜像として「☆」を視認することができた。
【００６４】
一方、第２の領域４の画素４Ｋ’、第１の領域３の画素３Ｋ’及び模様領域７の画素７Ｍ’と画素７Ｋ’は、紫外線励起可視発光剤を含まないインキを使用しているため蛍光発光が生じず、視認することはできなかった。また、紫外線励起可視発光剤を含むインキと紫外線励起可視発光剤を含まないインキは等色であるため、潜像印刷物Ｂ３を通常の光源下や自然光（可視光）で観察した場合は、紫外線励起可視発光剤を含むインキを用いて印刷された画素４Ｍ’と紫外線励起可視発光剤を含まないインキを用いて印刷された画素７Ｍ’を区分けして視認することはできなかった。
【００６５】
（実施例４）
次に、図９を用いて、基材１に画素４Ｍ’と画素７Ｍ’を互いにメタメリズムの関係にある２つのインキを使用した潜像印刷物Ｂ４の例について説明する。なお、各領域の形成、画素の配置位置、大きさ、ピッチ及び形状等の構成は潜像印刷物Ｂ１と同一であるため、特に異なる構成のみ説明する。
【００６６】
具体的には、図１０（ａ）に示すようなメタメリズム特性を有するインキを使用した。画素４Ｍ’及び画素３Ｍ’には、図１０（ａ）に示す特定の波長領域にピークを有することを特徴とするメタメリズムインキＲを使用した。メタメリズム特性を有するインキの組成の一例は、以下のとおりである。
[赤色系メタメリズムインキの組成]
紫色系顔料        １〜５    重量部
赤色系顔料（１）  １〜５    重量部
赤色系顔料（２）０．５〜１  重量部
黄色系顔料      ２０〜３０  重量部
ワニス          ５５〜６５  重量部
助剤              ５〜１０  重量部
【００６７】
画素７Ｍ’には、図１０（ａ）に示す前記特定の波長領域において、インキとは異なる分光反射率特性を有し、その他の波長領域においては略同等の特性を有することを特徴とするメタメリズムインキＧを使用した。メタメリズム特性を有するインキの組成の一例は、以下のとおりである。
[緑色系メタメリズムインキの組成]
緑色系顔料        ２〜５    重量部
赤色系顔料（１）０．５〜１  重量部
赤色系顔料（２）  ５〜１０  重量部
黄色系顔料      ２０〜３０  重量部
ワニス          ５５〜６５  重量部
助剤              ５〜１０  重量部
【００６８】
図１０（ｂ）に示すように、特定の波長領域を特徴的に抽出（透過）するフィルタＦ（富士フィルム製光学フィルタ  ＳＰ−８）は、略５３０ｎｍ以下の波長の透過率は０％であり、略６００ｎｍ以上の波長の透過率は９０％以上である。図１０（ａ）に示した赤色系メタメリズムインキと、緑色系メタメリズムインキは、特定の波長領域において異なる分光反射率特性を有することを特徴とし、その他の波長領域においては略同等の分光反射率特性を有しているため等色関係にある。したがって、潜像印刷物Ｂ３を通常の光源下や自然光（可視光）で観察した場合は、画素４Ｍ’及び画素３Ｍ’により形成された領域と画素７Ｍ’により形成された領域を区分けして視認することはできなかった。一方、フィルタＦを重ねて潜像印刷物Ｂ４を観察した場合には、フィルタにより略５３０ｎｍ以下の波長が遮蔽（カット）され、略６００ｎｍ以上の波長領域のみが透過された状態で潜像印刷物Ｂ４を観察することになる。よって、画素４Ｍ’及び画素３Ｍ’は、この波長領域ではインキの分光反射率が高いことから赤色系に観察され、画素７Ｍ’は、この波長領域ではインキの分光反射率が第１の領域の画素に対して相対的に低いことから、緑色系に観察されるため、画素４Ｍ’及び画素３Ｍ’と画素７Ｍ’が異色の状態で視認されることから、第２の潜像として「☆」を視認することができた。
【００６９】
潜像印刷物Ｂ４にレンチキュラーレンズＬを重ね合わせて観察した場合は、図９（ａ）に示すように第１の潜像として「１」を視認することができた。
【００７０】
潜像印刷物Ｂ４に、ある特定の波長領域を特徴的に抽出又は透過するフィルタＦを重ねて観察した場合は、図９（ｂ）に示すように第２の潜像として「☆」を視認することができた。
【００７１】
（実施例５）
次に、図１１を用いて、実施例１の潜像印刷物Ｂ１の変形例である潜像印刷物Ｂ１’について説明する。なお、第１の領域と第２の領域の形成、画素の配置位置、大きさ、ピッチ及び形状等の構成は、潜像印刷物Ｂ１と同一であるため、特に異なる構成のみ説明する。
【００７２】
図１１（ｂ）に示すように、潜像印刷物Ｂ１’は、第２の領域４内部に配置した赤外線吸収性色素を含むインキ(ブラックＡ)による画素４Ｋ’及び赤外線吸収性色素を含有しないインキ（マゼンタ）による画素４Ｍ’と、配置方向を同一方向に位相変調してずらして配置した画素３Ｋ’及び画素３Ｍ’と異なる方向に位相変調して配置した画素４Ｋ’と同じ赤外線吸収性色素を含むインキ(ブラックＡ)による画素６Ｋ’及び画素４Ｍ’と同じ赤外線吸収性色素を含有しないインキ（マゼンタ）による画素６Ｍ’を配置して第３の領域６を形成した。なお、第１の領域３と第３の領域６とが重複している領域の画素は、画素３Ｋ’及び画素３Ｍ’と画素６Ｋ’及び画素６Ｍ’の両方の構成を併せ持つことになる。
【００７３】
図１１（ａ）に示すように、実施例１の潜像印刷物Ｂ１の第１潜像を視認した場合におけるレンチキュラーレンズを重ねた方向とは異なる方向にレンチキュラーレンズＬを重ね、赤外線を照射した場合には第３の領域６を形成する画素のうち画素６Ｋ’を第３の潜像として「◎」を視認することができた。
【００７４】
なお、本実施例５では、第３の潜像模様を形成する画素を、第１の潜像を形成している位相変調した画素とは異なる方向に位相変調しており、この位相変調の方向は、第１の潜像模様がＹ方向に、第３の潜像模様がＸ方向と９０度の差をもって配列しているが、第３の潜像模様を形成する画素の位相変調の方向は、第１の潜像模様を形成する画素の位相変調の方向と異なる角度で配列されていればよく、第１の潜像模様を形成する画素の位相変調の方向と、第３の潜像模様を形成する画素の位相変調の方向は垂直関係（９０度）に限るものではない。
【図面の簡単な説明】
【００７５】
【図１】潜像印刷物の一実施例を示す平面図
【図２】潜像印刷物Ａ１の第１の潜像を示す平面図とその一部拡大図
【図３】潜像印刷物Ａ１の第２潜像を示す平面図とその一部拡大図
【図４】潜像印刷物Ａ２の潜像を示す平面図とその一部拡大図
【図５】潜像印刷物Ａ３の潜像を示す平面図とその一部拡大図
【図６】潜像印刷物Ｂ１の潜像を示す平面図とその一部拡大図
【図７】潜像印刷物Ｂ２の潜像を示す平面図とその一部拡大図
【図８】潜像印刷物Ｂ３の潜像を示す平面図とその一部拡大図
【図９】潜像印刷物Ｂ４の潜像を示す平面図とその一部拡大図
【図１０】メタメリズムインキの特性及びフィルタの透過特性を示すグラフ
【図１１】潜像印刷物Ｂ１’の潜像を示す平面図とその一部拡大図
【符号の説明】
【００７６】
Ａ１、Ａ２、Ａ３、Ｂ１、Ｂ２、Ｂ３、Ｂ４、Ｂ１’  潜像印刷物
Ｌ    レンチキュラーレンズ
Ｆ    フィルタ
Ｘ    変位
Ｙ    変位
１    基材
２    地模様
３    第１の領域
４    第２の領域
５    印刷領域
６    第３の領域
７    模様領域
３’、４’、５’、６’、７’  画素
Ｋ  、Ｋ１、Ｋ２、Ｋ３、Ｋ４  光源
【図１】
2008207335.tif 000003
【図２】
2008207335.tif 000004
【図３】
2008207335.tif 000005
【図４】
2008207335.tif 000006
【図５】
2008207335.tif 000007
【図６】
2008207335.tif 000008
【図７】
2008207335.tif 000009
【図８】
2008207335.tif 000010
【図９】
2008207335.tif 000011
【図１０】
2008207335.tif 000012
【図１１】
2008207335.tif 000013
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
基材上に、複数の等色の画素が規則的に配列されて二つの潜像画像が形成された潜像印刷物であって、前記複数の画素において、第１の方向に位相をずらし、かつ、機能性を有しないインキで印刷された第１の領域による第１の潜像模様と、機能性を有するインキにより印刷された第２の領域による第２の潜像模様と、前記機能性を有しないインキと同じインキで印刷された背景模様から成ることを特徴とする潜像印刷物。
【請求項２】
前記第１の領域と前記第２の領域が重複して配置されている領域は、前記機能性を有するインキで印刷されていることを特徴とする潜像印刷物。
【請求項３】
基材上に、複数の画素が規則的に配列されて二つの潜像画像が形成された潜像印刷物であって、前記複数の画素において、第１の方向に位相をずらし、かつ、機能性を有するインキで印刷された領域を少なくとも含む第１の領域による第１の潜像模様と、前記機能性を有するインキと同じインキにより印刷された第２の領域による第２の潜像模様と、機能性を有しないインキで印刷された背景模様から成り、前記第１の領域が前記第２の領域内に配置されたことを特徴とする潜像印刷物。
【請求項４】
前記第１の領域内の一部領域は、機能性を有するインキと機能性を有しないインキで構成された複数の画素から成ることを特徴とする請求項３記載の潜像印刷物。
【請求項５】
前記第１の領域及び前記第２の領域を構成する複数の画素は、等色であることを特徴とする請求項３及び４記載の潜像印刷物。
【請求項６】
前記機能性を有するインキで印刷した前記第１の領域及び前記第２の領域の画素と、前記機能性を有しないインキで印刷した前記背景模様の一部の画素とは等色で、かつ、前記機能性を有しないインキで印刷した前記第１の領域及び前記第２の領域の画素と、前記機能性を有しないインキで印刷した前記背景模様の一部の画素以外の画素とが等色であることを特徴とする請求項３及び４記載の潜像印刷物。
【請求項７】
前記機能性を有するインキにより印刷された前記第２の領域内において、前記第１の方向とは異なる第２の方向に、前記複数の画素の位相をずらして配列された第３の潜像模様を有することを特徴とする請求項３、４、５及び６記載の潜像印刷物。
【請求項８】
前記第１の領域と前記第３の領域は、一部重複して配置されていることを特徴とする請求項７記載の潜像印刷物。
【請求項９】
基材上に、複数の等色の画素が規則的に配列されて二つの潜像画像が形成された潜像印刷物であって、前記複数の画素において、第１の方向に位相をずらし、かつ、機能性を有するインキで印刷された領域を少なくとも含む第１の領域による第１の潜像模様と、前記機能性を有するインキと同じインキにより印刷された第２の領域による第２の潜像模様と、前記機能性を有するインキとは異なる機能性を有するインキで印刷された背景模様から成り、前記第１の領域が前記第２の領域内に配置されたことを特徴とする潜像印刷物。
【請求項１０】
前記機能性を有するインキが、所定の光を照射した時に、励起又は発光するインキ、所定の温度により変色する示温インキ、所定の角度により色彩が変化する光学的変化インキ又は指定のフィルタを介して色彩が変化するインキのいずれか一つである請求項１乃至９記載の潜像印刷物。
【手続補正２】
【補正対象書類名】明細書
【補正対象項目名】全文
【補正方法】変更
【補正の内容】
【発明の詳細な説明】
【技術分野】
【０００１】
本発明は、銀行券、株券、債券等の有価証券並びに各種証明書及び重要書類等の偽造防止及び複製防止が必要とされる印刷物に関するものである。
【背景技術】
【０００２】
銀行券、株券、債券等の有価証券並びに各種証明書及び重要書類等の印刷物は、その価値を保証又は維持する必要があるため、特殊な印刷パターンを施した印刷物に万線フィルタ又はレンチキュラーレンズ等の判別具を重ね合わせることにより潜像画像が発現する印刷物と、該潜像画像の有無を視認することにより印刷物の真偽判別を行う方法がある。
【０００３】
例えば、万線フィルタから成る判別具を重ね合わせることにより潜像画像が発現する印刷物とその真偽判別方法としては、万線画線で印刷した背景画像部と、背景画像部と異なる角度の万線画線で印刷した潜像画像部とを有する印刷物が存在する。当該印刷物の背景画像部と潜像画像部は、区分けして視認することが一見困難であるが、万線フィルタを印刷物に所定の角度で重ね合わせた場合には背景画像部と潜像画像部を区分けして視認できる方法が知られている。
【０００４】
その一例としては、第１の方向と第２の方向に位相変調されたパターンが形成された印刷物と、当該印刷物の第1の方向と万線状フィルタの万線状パターンの方向とを一致するように前記万線状フィルタを重ね合わせることにより形成される第１の多階調画像と、前記万線状フィルタの重ね合わせる角度を前記印刷物の第２の方向に一致するように変えると第２の多階調画像が形成されることを特徴とする印刷物及び画像形成法がある（例えば、特許文献１参照）。
【０００５】
また、基材上に、線部と非線部でなり、同一ピッチ及び幅から成る万線パターンに対し、万線位相を１／２ピッチずらして形成された潜像部を備えている複数種の潜像万線パターンが、それぞれ異なる角度で重ね合わされて印刷された潜像を有する印刷物であって、前記複数種の潜像万線パターンがそれぞれ色違いであることを特徴とする印刷物と、前記印刷物の万線パターンと同一ピッチのフィルムを前記複数種の潜像パターンに重ね合わせることにより潜像部を顕像化することを特徴とする画像形成法がある（例えば、特許文献２参照）。
【０００６】
また、基材上に、レンズアレイ（ハエの目レンズ、ハニカムレンズ、レンチキュラーレンズ等）を重ねることにより画像が現れるドットパターンを構成するそれぞれのドットが、少なくとも２種類以上のスクリーン線数で、かつ、少なくとも２種類以上のスクリーン角度の網点から成る印刷物において、真正物であればドットパターンを構成するそれぞれのドットの網点面積率が同じであるためレンズアレイを重ねることにより特定画像が現出し、複写物の場合はコピーすることによりスクリーン線数の大きさ又は網点角度で再現されるドットが潰れ、ドットの濃度が変化することにより前記特定画像と異なる画像が現出する印刷物がある（例えば、特許文献３参照）。
【０００７】
【特許文献１】特開平１０−２３０６７４号公報
【特許文献２】特開２００４−１７４９９７号公報
【特許文献３】特開２００１−３２４９４９号公報
【発明の開示】
【発明が解決しようとする課題】
【０００８】
しかしながら、特開平１０−２３０６７４号公報は、判別具を重ね合わせる方向（角度）を印刷物の方向に応じて変える煩わしさがある。また、万線状フィルタ等により形成される画像は、単色の多階調画像に制限されるという問題があった。
【０００９】
また、特開２００４−１７４９９７号公報は、多色の画像を形成することは可能であるが、万線位相を１／２ピッチ、すなわち同一ピッチでずらしていることから顕像化する潜像画像は２階調画像となる。また、複数種の潜像万線パターンをそれぞれ異なる角度に重ね合わせて印刷しているため、多階調の潜像画像を形成するには、それぞれの潜像万線パターンの角度に合わせて判別具の重ねる角度を変える煩わしさがあった。さらに、潜像万線パターンの組合せの種類数は、３色が限度であり、それ以上の色を使用した場合は、潜像全体が黒ずみ、顕像化しても色再現性等が劣るという問題があった。
【００１０】
また、特開２００１−３２４９４９号公報は、入出力解像度の特性を利用したものであり、昨今の複写機やインキジェット複合機等のデジタル機器類における画像の入出力解像度の高精細化又はモアレ低減機能等の補正機能の発達によって、ドットパターンをつぶれないように複写又はモアレ低減機能等により、ドット濃度の濃淡の発生の抑制がなされるおそれがある。
【課題を解決するための手段】
【００１１】
本発明は、基材上に、複数の等色の画素が規則的に配列されて二つの潜像画像が形成された潜像印刷物であって、複数の画素において、第１の方向に位相をずらし、かつ、機能性を有しないインキで印刷された第１の領域による第１の潜像模様と、機能性を有するインキにより印刷された第２の領域による第２の潜像模様と、機能性を有しないインキと同じインキで印刷された背景模様から成ることを特徴とする潜像印刷物である。
【００１２】
本発明は、第１の領域と第２の領域が重複して配置されている領域が、機能性を有するインキで印刷されていることを特徴とする潜像印刷物である。
【００１３】
本発明は、基材上に、複数の画素が規則的に配列されて二つの潜像画像が形成された潜像印刷物であって、複数の画素において、第１の方向に位相をずらし、かつ、機能性を有するインキで印刷された領域を少なくとも含む第１の領域による第１の潜像模様と、機能性を有するインキと同じインキにより印刷された第２の領域による第２の潜像模様と、機能性を有しないインキで印刷された背景模様から成り、第１の領域が前記第２の領域内に配置されたことを特徴とする潜像印刷物である。
【００１４】
本発明は、第１の領域内の一部領域が、機能性を有するインキと機能性を有しないインキで構成された複数の画素から成ることを特徴とする潜像印刷物である。
【００１５】
本発明は、第１の領域及び第２の領域を構成する複数の画素は、等色であることを特徴とする潜像印刷物である。
【００１６】
本発明は、機能性を有するインキで印刷した第１の領域及び第２の領域の画素と、機能性を有しないインキで印刷した背景模様の一部の画素とは等色で、かつ、機能性を有しないインキで印刷した第１の領域及び第２の領域の画素と、機能性を有しないインキで印刷した背景模様の一部の画素以外の画素とが等色であることを特徴とする潜像印刷物である。
【００１７】
本発明は、前記機能性を有するインキにより印刷された前記第２の領域内において、前記第１の方向とは異なる第２の方向に、前記複数の画素の位相をずらして配列された第３の潜像模様を有することを特徴とする潜像印刷物である。
【００１８】
本発明は、前記第１の領域と前記第３の領域は、一部重複して配置されていることを特徴とする潜像印刷物である。
【００１９】
本発明は、基材上に、複数の等色の画素が規則的に配列されて二つの潜像画像が形成された潜像印刷物であって、前記複数の画素において、第１の方向に位相をずらし、かつ、機能性を有するインキで印刷された領域を少なくとも含む第１の領域による第１の潜像模様と、前記機能性を有するインキと同じインキにより印刷された第２の領域による第２の潜像模様と、前記機能性を有するインキとは異なる機能性を有するインキで印刷された背景模様から成り、前記第１の領域が前記第２の領域内に配置されたことを特徴とする潜像印刷物である。
【００２０】
本発明は、前記機能性を有するインキが、所定の光を照射した時に、励起又は発光するインキ、所定の温度により変色する示温インキ、所定の角度により色彩が変化する光学的変化インキ又は指定のフィルタを介して色彩が変化するインキのいずれか一つである潜像印刷物である。
【発明の効果】
【００２１】
本発明の潜像印刷物は、規則的に複数配列した等色の画素により潜像画像を形成しているため、潜像印刷物を肉眼でのみ観察した場合には潜像画像を視認することは困難である。
【００２２】
また、本発明の潜像印刷物は、複数の画素において、第１の方向にずらした位相に合わせてレンチキュラーレンズ等の判別具を密着させたとき、第１の潜像模様が視認され、第２の領域を印刷した機能性インキに対応した処理を行うことで第２の潜像模様が視認されるため、潜像画像の明瞭性（判別性）が良好である。
【００２３】
また、本発明の潜像印刷物は、第２の領域内で第１の方向とは異なる第２の方向に画素の位相をずらすことで、第２の方向にずらした位相に合わせてレンチキュラーレンズ等の判別具を密着させたとき、第３の潜像模様も視認されるため、一つの印刷物において三つの潜像模様を形成することができ、偽造防止効果が高い印刷物が提供できる。
【００２４】
また、本発明の潜像印刷物は、潜像を形成する第１の領域の画素を同一方向に対して多階調に位相変調されて形成されていることから、潜像画像を多階調画像により表現することができる。
【００２５】
また、本発明の潜像印刷物は、機能性材料を含有するインキにより潜像画像を形成しているため、スキャナやコピー機等を使用した複写等による偽造を防止することができる。
【発明を実施するための最良の形態】
【００２６】
以下、本発明の実施を実施するための最良の形態について図面を参照して説明する。しかしながら、本発明は以下に述べる実施するための最良の形態に限定されるものではなく、特許請求の範囲の記載における技術的思想の範囲内であれば、その他の色々な実施の形態が含まれる。
【００２７】
本発明の潜像印刷物は、可視光（又は自然光）では情報は視認できないが、規則的に配置された画素の一部を位相変調によって意図的にずらし、レンチキュラーレンズを重ねることで第１の情報（又は潜像）が視認できることと、画素を領域分けして機能性を有するインキから成る画素と機能性を有さないインキから成る画素を等色に印刷し、紫外線や赤外線等のある特定波長を照射すると、機能性を有する領域のみが第２の情報（又は潜像）として視認できることを特徴としている。なお、等色とは機能性を有するインキから成る画素と機能性を有さないインキから成る画素を可視光（又は自然光）で観察した場合に、等しい色に観察されることであり、メタメリズムの関係である特定の光源下で等しく見えた色が異なる色で観察された場合においても、本明細書では前記の画素は等色であると定義するものとする。
【００２８】
図１は、本発明の潜像印刷物Ａ１の一例を示す平面図である。図１に示すように潜像印刷物Ａ１は、基材１上に画素をマトリックス状に印刷しており、可視光下では一様な地模様２として視認できる。また、画素により印刷されたすべての印刷領域５内には、第１の領域３（「１」の領域）と第２の領域４（「H」の領域）と模様領域７（「１」又は「H」以外の印刷領域）が設けられている。しかし、可視光下では潜像印刷物Ａ１を目視しても「１」や「Ｈ」の情報は視認できない。
【００２９】
図２は、潜像印刷物Ａ１にレンチキュラーレンズＬを重ね合わせた場合の観察図である。図２（ａ）に示すように潜像印刷物Ａ１にレンチキュラーレンズＬを重ねた場合は、第１の領域３により第１の潜像、具体的には「１」の文字が視認することができる。図２（ｂ）は、第１の領域３とその周辺の模様領域７の拡大図である。図２（ｂ）に示すように、第１の領域３は、画素３’、模様領域７は画素７’によりそれぞれ構成されており、画素３’及び画素７’の形状、大きさ、ピッチ及び色は同一であり、画素を構成するインキには、どちらも機能性を有さない。ただし、第２の領域４と重複している領域の画素はこの限りではない。また、画素の配列は、縦方向（Ｙ方向）において同一延長線上（又は同一直線上）に画素３’と画素７’を配置している。しかし、横方向（Ｘ方向）においては、画素３’と画素７’は同一延長線上（又は同一直線上）に配置しておらず、画素３’は位相変調によりずれている。なお、画素７’に対して画素３’のずれ量を小さくすることで、潜像印刷物Ａ１を可視光で視認しても、情報は視認できなくなる。
【００３０】
図２（ａ）、（ｂ）に示すように、潜像印刷物Ａ１にレンチキュラーレンズＬを重ね合わせて観察した場合は、第１の領域３を第１の潜像として視認できる。すなわち、画素３’と画素７’とは、同一延長線上に配置せず、位相変調させているため、第１の領域３は情報、具体的には「１」という数字を視認できる。
【００３１】
レンチキュラーレンズＬは、蒲鉾状のレンズが万線のように複数形成されているため、第１の領域の位相変調方向と蒲鉾状のレンズの配列されている方向が一致するように（具体的にはＹ方向）レンチキュラーレンズＬを潜像印刷物Ａ１に重ねて合わせることにより、位相変調して形成された第１の領域が拡大され、その他の領域が消失又は隠蔽された状態になるため第１の領域が第１の潜像として視認される。
【００３２】
図３は、潜像印刷物Ａ１に光源Ｋにより特定波長の光を照射した場合における第２の潜像が視認された状態を示す図である。図３（ａ）に示すように、潜像印刷物Ａ１に特定波長の光を照射した場合は、第２の領域４の「Ｈ」の文字を第２の潜像として視認することができる。図３（ｂ）は、第２の領域４とその周辺の模様領域７の拡大図である。図３（ｂ）に示すように、第２の領域４は、画素４’、模様領域７は画素７’でそれぞれ構成されており、画素４’及び画素７’の配列、大きさ、ピッチ及び色は同一である。このため、可視光下では、潜像印刷物Ａ１を視認しても第２の領域４から成る「Ｈ」という情報は視認できない。一方、画素４’を構成するインキは機能性を有するが、画素７’を構成するインキは機能性を有さないため、特定波長の光を照射すると、第２の領域４から成る「Ｈ」という情報が視認できる。このため、潜像印刷物Ａ１は、可視光下でレンチキュラーレンズＬを重ねることで、第１の領域３による「１」という情報が視認できる。
【００３３】
一方、特定波長の光を照射すると、図３に示すように、第２の領域４の「Ｈ」という情報が視認できるため二種類の情報が付与できる。なお、本発明の構成で、第１の領域３と第２の領域４とが重複している領域の画素は、画素３’と画素４’との両方の構成を併せ持つことになる。また、画素３’、画素４’、画素７’については、模式的に示すために大きく例示しているが、実際には視認できないほど微細な画素で印刷されていることが望ましい。また、機能性を有するインキは、第２の領域４にカーボンブラックを使用することが好ましい。また、機能性を有さないインキは、第２の領域以外の領域を、シアン、マゼンタ、イエローの３色によるブラックを使用することが好ましい。
【００３４】
図４は、本発明の別の形態である潜像印刷物Ａ２の一例を示す平面図である。図４に示すように、潜像印刷物Ａ２は、図１から図３の潜像印刷物Ａ１に対し、第２の領域４の配置や構成を変えているが、そのほかの構成は同一であるため、特に異なる構成のみ説明する。模様領域７の画素７’は機能性を有さないインキで構成されている。また、第１の領域３の画素３’は機能性を有するインキで構成されているが、一部の画素３’は機能性を有する領域３’ａと機能性を有さない領域３’ｂで構成されている。また、第１の領域３は、第２の領域４内に有している。この時、第１の領域３の画素３’は、第２の領域４の画素４’に対して、画素の配列は、縦方向（Ｙ方向）において同一延長線上（又は同一直線上）に画素３’と画素４’を配置している。しかし、横方向（Ｘ方向）においては、画素３’と画素４’は同一延長線上（又は同一直線上）に配置しておらず、画素３’は位相変調によりずれている。なお、画素３’と画素４’の形状、大きさ、ピッチ及び色は同一である。また、機能性を有する領域３’ａの機能性は画素４’と同一とする。なお、図４（ｃ）には、縦方向に分割し、上半分の画素３’ａは機能性を有し、下半分の画素３’ｂは機能性を有さない例で示しているが、横方向の分割でも構わない。
【００３５】
図４（ａ）に示すように、潜像印刷物Ａ２を可視光下でレンチキュラーレンズＬを重ねると、第１の領域３により「１」の情報が視認できる。一方、レンチキュラーレンズＬを重ねた状態で特定波長を照射すると、機能性を有する第１の領域３の画素３’と画素３’ａが、レンチキュラーレンズＬを通して視認できる。一方、模様領域７の画素７’と第１の領域３の画素３’ｂは、機能性を有さないため、レンチキュラーレンズＬを通して視認できない。したがって、視認できる情報は、第１の領域３の「１」となる。また、第１の領域３の画素３’ｂは視認できないため、「１」の中に第２の情報として「長方形」が視認できる。このため、潜像印刷物Ａ２は、レンチキュラーレンズＬを重ねて、可視光と特定波長の二通りの環境で、二つの情報を視認することができる。また、図４（ｄ）は、潜像印刷物Ａ２の第２の領域４の一応用例であり、第２の領域４の一部拡大図である。図４（ｄ）に示すように  画素４’は、画素領域ａと画素領域ｂで構成されており、前記画素領域ａは、赤外線吸収性色素を含むインキ(ブラックＡ)で印刷されており、前記画素領域ｂは、赤外線吸収性色素を含有しないインキ（イエロー、マゼンタ、シアンで構成されたブラック）で印刷されている。また、前記画素領域ａと前記画素領域ｂの面積比率は、Ｙ方向に段階的に変化しており、前記画素領域ａの面積比率がＹ方向に段階的に増加している。よって、画素領域ａと前記画素領域ｂの面積比率等を変化させた場合は、特定波長を照射した場合は、第２の領域４を第２の潜像として視認することができ、前記第２の領域４の濃度は、Ｙ方向にグラデーション状態に表現され、前記画素領域ａの面積比率に応じた多階調濃度の文字又は図形として視認することができる。
【００３６】
図５は、本発明の別の形態である潜像印刷物Ａ３の一例を示す平面図である。図５に示すように潜像印刷物Ａ３は、図１から図３の潜像印刷物Ａ１に対し、第２の領域４の配置や構成を変えており、第１の領域３は、第２の領域４内に配置されている。また、第２の領域４の内部に新たな領域を設け、画素の位相変調による配置や構成を変えているが、そのほかの構成は同一であるため、特に異なる構成のみ説明する。図５（ｄ）に示すように模様領域７の画素７’は、機能性を有さないインキで構成されているが、第１の領域３の画素３’は機能性を有しており、縦方向（Ｙ方向）に位相変調され、ずれて配置されている。また、第２の領域４は、領域内に第３の領域６を有している。第３の領域６の画素６’は、第２の領域４の画素４’に対して、機能性を有していること、形状、大きさ、ピッチ及び色は同一である。しかし、画素６’の配置位置は、画素３’の配置位置と異なる方向（Ｘ方向）に位相変調され、画素３’の配置位置と異なる方向にずれて配置されている。
なお、ここでは、説明しやすいように画素の位相変調の方向をＸＹ方向としているが、位相変調する画素が規則的に配列されていれば、位相変調の方向はＸＹ方向に限るものではない。
【００３７】
図５（ａ）に示すように、潜像印刷物Ａ３に可視光下でレンチキュラーレンズＬを重ねると、第１の領域３により「１」の情報が視認できる。また、図５（ｂ）に示すように、潜像印刷物Ａ３に特定波長を照射すると、特定波長を吸収する機能性を有する第２の領域４により「☆」の情報が視認できる。さらに、図５（ｃ）に示すように、図５（ａ）と異なる方向にレンチキュラーレンズＬを重ねた状態で特定波長を照射すると、特定波長を吸収する機能性を有する第２の領域４内の第３の領域６の画素６’は、レンチキュラーレンズＬを通して視認できる。
【００３８】
一方、第３の領域６以外の領域は、位相変調による画素の配置位置が異なるため、レンチキュラーレンズＬにより視認できない。したがって、視認できる情報は、第１の領域３の「１」と、第２の領域４の「☆」と、第２の領域４内に第３の領域６を形成した場合は、「☆」の中に第３の情報として「◎」を視認できる。このため、潜像印刷物Ａ３は、特定波長を照射することにより一つの情報を視認することができ、レンチキュラーレンズＬを重ねることで、可視光と特定波長の二通りの環境により、二つの情報を視認することができる。よって、三つの情報を視認することができる。
【００３９】
潜像印刷物Ａ１、Ａ２及びＡ３の画素の形状は、一例として画素３’、画素４’、画素７’及び画素６’の形状を円形としているが、画素の形状は特に限定されず、正方形、長方形、円、楕円、星形又は多角形等の形状にすることができる。また、各画素の形状はすべて同一とすることが望ましいが、特に限定されるものではない。また、潜像印刷物Ａ１、Ａ２及びＡ３は、画素の大きさ（高さ及び幅）と配置間隔（ピッチ）の関係を１：２としたが、画素の大きさと配置間隔は特に限定されるものではない。また、潜像印刷物Ａ１、Ａ２及びＡ３の画素の配置間隔は、水平方向と垂直方向を同一としたが、特に限定されるものではない。なお、潜像画像の視認性を向上させるために、レンチキュラーレンズのピッチ方向と同一方向となる画素の配置間隔は、レンチキュラーレンズのピッチとほぼ同じにすることが望ましいが、この限りではない。
【００４０】
潜像印刷物Ａ１、Ａ２及びＡ３を印刷する基材１は、紙、プラスチック、フィルム及び金属板等、特に限定されるものではない。
【００４１】
本発明の潜像印刷物Ａ１、Ａ２及びＡ３を印刷する印刷方式は、オフセット印刷方式、グラビア印刷方式、スクリーン印刷方式、フレキソ印刷方式、インキジェットプリンタ及びレーザプリンタ等、特に限定されるものではない。
【００４２】
本発明の潜像印刷物Ａ１、Ａ２及びＡ３の印刷領域５のデザインは、文字、数字、記号及び絵柄の少なくとも一つで構成することができるため、特に限定されるものではない。また、同様に第１の領域３、第２の領域４、第３の領域６のデザインも、文字、数字、記号及び絵柄等、特に限定されるものではない。
【００４３】
また、機能性材料は特に限定するものではなく、赤外線吸収剤、発光剤として、例えば紫外線励起可視発光剤、紫外線励起赤外発光剤、赤外線励起可視発光剤、赤外線励起赤外発光剤、可視光励起赤外発光剤又は可視光励起可視発光剤等の発光剤、示温インキに用いられるコレステリック液晶等の公知の機能性材料を使用することができる。また、光学的変化特性を有するインキは、パールインキ等の公知の光学的変化特性を有するインキを使用することができる。
【００４４】
例えば、機能性材料として赤外線吸収色素を含有するインキを使用する場合は、赤外線吸収特性があれば特に限定されず、公知のグラビアインキ、スクリーンインキ、プロセスインキ等を使用することができる。例えば、プロセスインキであるシアン(Ｃ)、マゼンタ(Ｍ)、イエロー(Ｙ)、ブラック(Ｂｋ)の基本４色インキ（以下「基本４色インキ」という）のうちのブラック(Ｂｋ)等を使用することができる。このブラックインキは、例えばカーボンブラックを主体とする黒色顔料を使用した場合には、紫外線領域から赤外線領域まで全域にわたり吸収特性を有している。また、赤外線吸収特性を有するインキはブラックインキに限らず、赤外線吸収性色素を含まない特色インキにカーボンブラックを添加したインキを使用することもできる。なお、特色インキとは、基本４色インキを除く、特殊な色を有するインキのことである。
【００４５】
また、画素に赤外線吸収剤を含有したインキを使用する場合、他の画素には等色で赤外線吸収剤を含有しないインキを使用することが好ましい。赤外線吸収性色素を含まないインキとしては、赤外線吸収特性を有さなければ特に限定されず、公知のグラビアインキ、スクリーンインキ、プロセスインキ等を使用することができる。例えば、基本４色インキのうち、シアン(Ｃ)、マゼンタ(Ｍ)、イエロー(Ｙ)は、赤外線を吸収しない性質を持っており、これら３色を重ね合わせたもので黒色系を表現すれば赤外線を吸収しない色素と同様な効果が得られる。又はクロモファインブラックインキ（大日精化工業株式会社製）やインキジェットプリンタ用の染料系インキ（例えば、Ｃａｎｏｎ製染料系ブラックインキ等）を使用することもできる。
【００４６】
また、例えば、赤外線吸収性色素を含有しないインキを使用せず、赤外線吸収性色素を含有するインキにより画素４’と画素７’を印刷する場合は、画素４’と画素７’を印刷する赤外線吸収性色素を含むインキをそれぞれ相対的な配合、すなわち、いずれか一方の画素を印刷するインキの赤外線吸収色素の含有量を他方より少なくするか、又は多く含有することにより階調の異なる潜像印刷物を作製することもできる。なお、この場合の潜像印刷物を赤外線カメラにより観察した場合は、画素４’が画素７’に対して相対的に視認することができる。
【００４７】
次に、機能性材料として発光剤を含有するインキを使用した潜像印刷物について説明する。機能性材料として紫外線発光剤を含有するインキを使用する場合は、機能性材料が特定波長により発光特性を有すれば特に限定されず、紫外線励起により赤外発光する蛍光顔料、赤外線励起により可視発光する蛍光顔料、可視光により赤外発光する蛍光顔料等、特定波長の光を照射することにより発光する公知の材料を使用することができる。
【００４８】
例えば、画素４’に発光剤を含有するインキを使用した場合は、画素７’を画素４’と等色で発光剤の含有しないインキにより形成することが好ましい。発光剤を含まないインキは、発光特性を有さなければ特に限定されず、公知のインキを使用することができる。なお、蛍光顔料を含むインキを用いて構成された画素４’は、蛍光顔料を含む無色のインキを使用し、蛍光顔料を含まないインキの上に刷り重ねても同様の効果が得られる。
【００４９】
次に、機能性材料として示温インキに用いられるコレステリック液晶等を使用した潜像印刷物について説明する。機能性材料として示温インキに用いられるコレステリック液晶等を含有するインキを使用する場合には、機能性材料が示温特性を有すれば特に限定されず、公知の材料を使用することができる。例えば、画素４’に示温インキに用いられるコレステリック液晶等を含有するインキを使用した場合は、画素７’を画素４’と等色でコレステリック液晶等を含有しないインキを使用するか、又は等色で特性の異なるコレステリック液晶等を使用することが好ましい。
【００５０】
次に、光学的変化特性を有するインキとしてパールインキを使用した潜像印刷物について説明する。光学的変化特性を有するインキを使用する場合には、光学的変化特性を有すれば特に限定されず、公知の材料を使用することができる。例えば、画素４’にパールインキを使用した場合は、画素７’を画素４’と等色で光学的変化特性を有さないインキを使用するか、又は等色で光学的変化特性の異なるパールインキを使用することが好ましい。
【００５１】
次に、メタメリズム特性を有するインキを使用した潜像印刷物について説明する。画素４’を形成するインキとしてメタメリズム特性を有するインキを使用する場合は、インキがメタメリズム特性を有すれば特に限定されず、公知の材料を使用することができる。画素４’にメタメリズム特性を有するインキを使用した場合は、画素７’に画素４’に使用するインキとメタメリズムの関係にあるインキを使用することが好ましい。
【００５２】
本発明の潜像印刷物Ａ１からＡ３までの第１の領域３、第２の領域４及び模様領域７を形成する画素３’、画素４’及び画素７’の色は、それぞれ１色のみならず、２色以上の色を使用することができる。例えば、第１の領域３、第２の領域４及び模様領域７の画素を２色（ブラックインキとマゼンタインキ）の画素で形成することができる。また、プロセス基本４色インキを使用してもよい。さらに、位相変調の階調も潜像印刷物Ａ１からＡ３までの図では２階調の位相変調で説明したが、２５６階調などの多階調でもよい。よって、プロセス４色で画素を構成し、２５６階調の位相変調で潜像画像部を形成すれば、第１の潜像として２５６階調のフルカラー画像を得ることができる。このように所望の色数の多階調画像を得ることができる。
【００５３】
また、画素の配置は、例えば２色の場合、２色の画素を水平方向に交互に配置し、垂直方向は同色の配置としてもよい。また、２色の画素を垂直方向に交互に配置し、水平方向を同色の配置としてもよい。さらに、水平方向、垂直方向ともに２色を交互に配置することもできる。
【００５４】
また、例えば、プロセス４色インキの場合は、４色とも水平方向に配置又は垂直方向に配置することもできるが、２色を水平方向、２色を垂直方向の組合せにしても所望の効果は得られる。また、各色の配置順も特に限定されるものではない。さらに、周期性のない配置（各色交互に配置しない任意な配置）にすることもできる。なお、各色の画素の位相変調方向の配置間隔はレンズのピッチにほぼ一致することが望ましい。さらに、この場合、特に４色以上で視認性の良いフルカラー画像を得るためには、位相変調方向に４色配置するよりも、位相変調方向とは異なる方向に４色の画素を配置することが望ましい。又は、位相変調方向に２色、位相変調方向とは異なる方向に２色の組合せとした配置が望ましい。これは、位相変調方向の配置の場合、配置間隔はレンズのピッチに依存するため、配置間隔に制約があり、潜像画像の視認性、色再現性が低下するおそれがあるからである。一方、位相変調方向とは異なる方向の配置の場合、レンズのピッチに依存することなく、配置間隔を設定できるので、画素の配置を潜像画像の視認性や画素の配置のデザイン性に応じた配置に設定することができる。
【実施例】
【００５５】
以下、上記の本発明の潜像印刷物について具体的な実施例を挙げ、詳細に説明する。
【００５６】
（実施例１）
図６を用いて、基材１に赤外線吸収性色素を含有するインキ（ブラックＡ）と赤外線吸収性色素を含有しないインキ（ブラックＢとマゼンタ）を使用した潜像印刷物Ｂ１の例について説明する。第１の領域３は、赤外線吸収性色素を含有するインキ（ブラックＡ）による画素３Ｋ’と、赤外線吸収性色素を含有しないインキ（マゼンタ）による画素３Ｍ’の配置方向を同一方向に位相変調してずらして形成した。第２の領域４は、画素３Ｋ’と同じ赤外線吸収性色素を含有するインキ（ブラックＡ）による画素４Ｋ’と、画素３Ｍ’と同じ赤外線吸収性色素を含有しないインキ（マゼンタ）による画素４Ｍ’を規則的に配置して形成した。また、模様領域７は、画素３Ｋ’と等色の赤外線吸収性色素を含まないインキ（ブラックＢ）による画素７Ｋ’と画素３Ｍ’と同じ赤外線吸収性色素を含有しないインキ（マゼンタ）による画素７Ｍ’を規則的に配置して形成した。
【００５７】
具体的には、基材として市販のインキジェットプリンタ用専用紙（Ｃａｎｏｎ社製  高品位専用紙）を使用し、マゼンタとブラックの２色のインキを用いて市販のインキジェットプリンタ（Ｃａｎｏｎ社製  ＰＩＸＵＳ  ＭＰ９５０）により印刷を行った。赤外線吸収性色素を含むインキとしては、顔料系ブラックインキを用い、赤外線吸収性色素を含まないインキとして染料系ブラックインキ及びマゼンタインキを用いた。画素は、一辺の長さが１２７μｍの正方形とし、画素の配置は、２色の画素を水平方向に交互に配置し、配置間隔は水平方向及び垂直方向ともピッチを２５４μｍとした。
【００５８】
潜像印刷物Ｂ１にレンチキュラーレンズＬを重ね合わせて観察した場合は、図６（ａ）に示すように、第１の領域を第１の潜像として視認することができた。レンチキュラーレンズＬは、蒲鉾状のレンズが万線のように複数形成されている。第１の領域３の位相変調方向と蒲鉾状のレンズが配列されている方向が一致するように、レンチキュラーレンズＬを潜像印刷物Ｂ１に重ねて合わせた場合は、位相変調して形成された第１の領域３が拡大されるため、第１の潜像として「１」を視認することができた。
【００５９】
潜像印刷物Ｂ１に対して赤外線光源Ｋ１による赤外線を照射し、赤外線カメラを用いて観察した場合は、図６（ｂ）に示すように第２の領域を第２の潜像として「☆」を視認することができた。一方、模様領域７の画素７Ｋ’と画素７Ｍ’、第１の領域３の画素３Ｍ’、第２の領域の画素４Ｍ’は、赤外線吸収性色素を含まないインキにより印刷されているために赤外線を透過する特性を有し、赤外線カメラを用いて観察した場合には視認することはできなかった。
【００６０】
また、赤外線吸収性色素を含むインキと赤外線吸収性色素を含まないインキは等色であるため、潜像印刷物Ｂ１を通常の光源下や自然光（可視光）で観察した場合には、赤外線吸収性色素を含むインキを用いて印刷された画素４Ｋ’と、赤外線吸収性色素を含まないインキを用いて印刷された画素７Ｋ’を区分けして視認することはできなかった。
【００６１】
（実施例２）
図７を用いて、基材１に赤外線吸収性色素を含有するインキ（ブラックＡ）と、赤外線吸収性色素を含有しないインキ（イエロー、マゼンタ、シアン）を使用した潜像印刷物Ｂ２の例について説明する。第１の領域３は、赤外線吸収性色素を含有するインキ（ブラックＡ）による画素３Ｋ’と、赤外線吸収性色素を含有しないインキ（マゼンタ）による画素３Ｍ’の配置方向を同一方向に位相変調してずらして形成した。第２の領域４は、画素３Ｋ’と同じ赤外線吸収性色素を含有するインキ（ブラックＡ）による画素４Ｋ’と、赤外線吸収性色素を含有しないインキ（マゼンタ）による画素４Ｍ’を規則的に配置して形成した。また、模様領域７は、画素３’と等色の赤外線吸収性色素を含まないインキ（イエロー、マゼンタ、シアンで構成されたブラック）による画素７Ｋ’と、赤外線吸収性色素を含有しないインキ（マゼンタ）による画素７Ｍ’を規則的に配置して形成した。
【００６２】
具体的には、基材として市販のインキジェットプリンタ用専用紙（Ｃａｎｏｎ社製  高品位専用紙）を使用し、基本４色インキを用いて市販のインキジェットプリンタ（Ｃａｎｏｎ社製  ＰＩＸＵＳ  ＭＰ９５０）により印刷を行った。赤外線吸収性色素を含むインキとしては、顔料系ブラックインキを用い、赤外線吸収性色素を含まないインキとしてはシアン、マゼンタ、イエローの三原色で構成されたブラックインキ及びマゼンタインキを用いた。画素は、一辺の長さを１２７μｍの正方形とし、画素の配置は、２色の画素を水平方向に交互に配置し、配置間隔は、水平方向及び垂直方向ともピッチを２５４μｍとした。
【００６３】
潜像印刷物Ｂ２にレンチキュラーレンズＬを重ね合わせて観察した場合は、図７（ａ）に示すように第１の領域を第１の潜像として視認することができた。レンチキュラーレンズＬは、蒲鉾状のレンズが万線のように複数形成されている。第１の領域３の位相変調方向と蒲鉾状のレンズが配列されている方向が一致するように、レンチキュラーレンズＬを潜像印刷物Ｂ２に重ねて合わせた場合は、位相変調して形成された第１の領域３が拡大されるため、第１の潜像として「１」を視認することができた。
【００６４】
潜像印刷物Ｂ２に対して赤外線光源Ｋ２による赤外線を照射し、赤外線カメラを用いて観察した場合は、図７（ｂ）に示すように、第２の領域を第２の潜像として「☆」を視認することができた。一方、模様領域７の画素７Ｋ’と画素７Ｍ’、第１の領域３の画素３Ｍ’、第２の領域の画素４Ｍ’は、赤外線吸収性色素を含まないインキにより印刷されているために赤外線を透過する特性を有し、赤外線カメラを用いて観察した場合には視認することはできなかった。また、前記赤外線吸収性色素を含むインキと赤外線吸収性色素を含まないインキは等色であるため、潜像印刷物Ｂ１を通常の光源下や自然光（可視光）で観察した場合には、赤外線吸収性色素を含むインキを用いて印刷された画素４Ｋ’と、赤外線吸収性色素を含まないインキを用いて印刷された画素７Ｋ’を区分けして視認することはできなかった。
【００６５】
（実施例３）
次に、図８を用いて、基材１に紫外線励起可視発光剤を含有するインキ（マゼンタに無色蛍光インキを加刷）により印刷した画素４Ｍ’と、紫外線励起可視発光剤を含有しないインキ（ブラック）により印刷した画素４Ｋ’から成る第２の領域４と、さらに紫外線励起可視発光剤を含有するインキ（マゼンタに無色蛍光インキを加刷）により印刷した画素３Ｍ’と、紫外線励起可視発光剤を含有しないインキ（ブラック）により印刷した画素３Ｋ’から成る第１の領域３と、紫外線励起可視発光剤を含有しないインキ（マゼンタとブラック）により印刷した画素７Ｍ’と画素７Ｋ’から成る模様領域７を有する潜像印刷物Ｂ２の例について説明する。なお、各領域の形成、画素の配置位置、大きさ、ピッチ及び形状等の構成は潜像印刷物Ｂ１と同一であるため、特に異なる構成のみ説明する。
【００６６】
具体的には、基材として蛍光増白剤を含有しない厚さ９７μｍの白色上質紙（福井紙業（株）社製）を使用し、マゼンタとブラックの２色のインキを使用して市販のインキジェットプリンタ（ＥＰＳＯＮ社製  ＰＸ−Ｖ６３０）で印刷を行った。発光剤を含まないインキとしては、マゼンタインキとブラックインキを用い、発光剤を含むインキとして紫外線を照射することによりイエローに発光する無色蛍光インキ（ダイコー社製  ＥＰＳＯＮ用ブラックライト対応インキ  イエロー）を用い、マゼンタインキの画素に加刷した。
【００６７】
潜像印刷物Ｂ３にレンチキュラーレンズＬを重ね合わせて観察した場合は、図８（ａ）に示すように第１の潜像を視認することができた。
【００６８】
潜像印刷物Ｂ３にブラックライトＫ３により紫外線を照射して観察した場合は、図８（ｂ）に示すような第２の潜像を視認することができた。図８に示すように、潜像印刷物Ｂ３の第２の領域４の画素４Ｍ’及び第１の領域３の画素３Ｍ’により形成されている領域は、紫外線励起可視発光剤を含むインキを使用しているため第２の潜像として「☆」を視認することができた。
【００６９】
一方、第２の領域４の画素４Ｋ’、第１の領域３の画素３Ｋ’及び模様領域７の画素７Ｍ’と画素７Ｋ’は、紫外線励起可視発光剤を含まないインキを使用しているため蛍光発光が生じず、視認することはできなかった。また、紫外線励起可視発光剤を含むインキと紫外線励起可視発光剤を含まないインキは等色であるため、潜像印刷物Ｂ３を通常の光源下や自然光（可視光）で観察した場合は、紫外線励起可視発光剤を含むインキを用いて印刷された画素４Ｍ’と紫外線励起可視発光剤を含まないインキを用いて印刷された画素７Ｍ’を区分けして視認することはできなかった。
【００７０】
（実施例４）
次に、図９を用いて、基材１に画素４Ｍ’と画素７Ｍ’を互いにメタメリズムの関係にある２つのインキを使用した潜像印刷物Ｂ４の例について説明する。なお、各領域の形成、画素の配置位置、大きさ、ピッチ及び形状等の構成は潜像印刷物Ｂ１と同一であるため、特に異なる構成のみ説明する。
【００７１】
具体的には、図１０（ａ）に示すようなメタメリズム特性を有するインキを使用した。画素４Ｍ’及び画素３Ｍ’には、図１０（ａ）に示す特定の波長領域にピークを有することを特徴とするメタメリズムインキＲを使用した。メタメリズム特性を有するインキの組成の一例は、以下のとおりである。
[赤色系メタメリズムインキの組成]
紫色系顔料        １〜５    重量部
赤色系顔料（１）  １〜５    重量部
赤色系顔料（２）０．５〜１  重量部
黄色系顔料      ２０〜３０  重量部
ワニス          ５５〜６５  重量部
助剤              ５〜１０  重量部
【００７２】
画素７Ｍ’には、図１０（ａ）に示す前記特定の波長領域において、インキとは異なる分光反射率特性を有し、その他の波長領域においては略同等の特性を有することを特徴とするメタメリズムインキＧを使用した。メタメリズム特性を有するインキの組成の一例は、以下のとおりである。
[緑色系メタメリズムインキの組成]
緑色系顔料        ２〜５    重量部
赤色系顔料（１）０．５〜１  重量部
赤色系顔料（２）  ５〜１０  重量部
黄色系顔料      ２０〜３０  重量部
ワニス          ５５〜６５  重量部
助剤              ５〜１０  重量部
【００７３】
図１０（ｂ）に示すように、特定の波長領域を特徴的に抽出（透過）するフィルタＦ（富士フィルム製光学フィルタ  ＳＰ−８）は、略５３０ｎｍ以下の波長の透過率は０％であり、略６００ｎｍ以上の波長の透過率は９０％以上である。図１０（ａ）に示した赤色系メタメリズムインキと、緑色系メタメリズムインキは、特定の波長領域において異なる分光反射率特性を有することを特徴とし、その他の波長領域においては略同等の分光反射率特性を有しているため等色関係にある。したがって、潜像印刷物Ｂ３を通常の光源下や自然光（可視光）で観察した場合は、画素４Ｍ’及び画素３Ｍ’により形成された領域と画素７Ｍ’により形成された領域を区分けして視認することはできなかった。一方、フィルタＦを重ねて潜像印刷物Ｂ４を観察した場合には、フィルタにより略５３０ｎｍ以下の波長が遮蔽（カット）され、略６００ｎｍ以上の波長領域のみが透過された状態で潜像印刷物Ｂ４を観察することになる。よって、画素４Ｍ’及び画素３Ｍ’は、この波長領域ではインキの分光反射率が高いことから赤色系に観察され、画素７Ｍ’は、この波長領域ではインキの分光反射率が第１の領域の画素に対して相対的に低いことから、緑色系に観察されるため、画素４Ｍ’及び画素３Ｍ’と画素７Ｍ’が異色の状態で視認されることから、第２の潜像として「☆」を視認することができた。
【００７４】
潜像印刷物Ｂ４にレンチキュラーレンズＬを重ね合わせて観察した場合は、図９（ａ）に示すように第１の潜像として「１」を視認することができた。
【００７５】
潜像印刷物Ｂ４に、ある特定の波長領域を特徴的に抽出又は透過するフィルタＦを重ねて観察した場合は、図９（ｂ）に示すように第２の潜像として「☆」を視認することができた。
【００７６】
（実施例５）
次に、図１１を用いて、実施例１の潜像印刷物Ｂ１の変形例である潜像印刷物Ｂ１’について説明する。なお、第１の領域と第２の領域の形成、画素の配置位置、大きさ、ピッチ及び形状等の構成は、潜像印刷物Ｂ１と同一であるため、特に異なる構成のみ説明する。
【００７７】
図１１（ｂ）に示すように、潜像印刷物Ｂ１’は、第２の領域４内部に配置した赤外線吸収性色素を含むインキ(ブラックＡ)による画素４Ｋ’及び赤外線吸収性色素を含有しないインキ（マゼンタ）による画素４Ｍ’と、配置方向を同一方向に位相変調してずらして配置した画素３Ｋ’及び画素３Ｍ’と異なる方向に位相変調して配置した画素４Ｋ’と同じ赤外線吸収性色素を含むインキ(ブラックＡ)による画素６Ｋ’及び画素４Ｍ’と同じ赤外線吸収性色素を含有しないインキ（マゼンタ）による画素６Ｍ’を配置して第３の領域６を形成した。なお、第１の領域３と第３の領域６とが重複している領域の画素は、画素３Ｋ’及び画素３Ｍ’と画素６Ｋ’及び画素６Ｍ’の両方の構成を併せ持つことになる。
【００７８】
図１１（ａ）に示すように、実施例１の潜像印刷物Ｂ１の第１潜像を視認した場合におけるレンチキュラーレンズを重ねた方向とは異なる方向にレンチキュラーレンズＬを重ね、赤外線を照射した場合には第３の領域６を形成する画素のうち画素６Ｋ’を第３の潜像として「◎」を視認することができた。
【００７９】
なお、本実施例５では、第３の潜像模様を形成する画素を、第１の潜像を形成している位相変調した画素とは異なる方向に位相変調しており、この位相変調の方向は、第１の潜像模様がＹ方向に、第３の潜像模様がＸ方向と９０度の差をもって配列しているが、第３の潜像模様を形成する画素の位相変調の方向は、第１の潜像模様を形成する画素の位相変調の方向と異なる角度で配列されていればよく、第１の潜像模様を形成する画素の位相変調の方向と、第３の潜像模様を形成する画素の位相変調の方向は垂直関係（９０度）に限るものではない。
【図面の簡単な説明】
【００８０】
【図１】潜像印刷物の一実施例を示す平面図
【図２】潜像印刷物Ａ１の第１の潜像を示す平面図とその一部拡大図
【図３】潜像印刷物Ａ１の第２潜像を示す平面図とその一部拡大図
【図４】潜像印刷物Ａ２の潜像を示す平面図とその一部拡大図
【図５】潜像印刷物Ａ３の潜像を示す平面図とその一部拡大図
【図６】潜像印刷物Ｂ１の潜像を示す平面図とその一部拡大図
【図７】潜像印刷物Ｂ２の潜像を示す平面図とその一部拡大図
【図８】潜像印刷物Ｂ３の潜像を示す平面図とその一部拡大図
【図９】潜像印刷物Ｂ４の潜像を示す平面図とその一部拡大図
【図１０】メタメリズムインキの特性及びフィルタの透過特性を示すグラフ
【図１１】潜像印刷物Ｂ１’の潜像を示す平面図とその一部拡大図
【符号の説明】
【００８１】
Ａ１、Ａ２、Ａ３、Ｂ１、Ｂ２、Ｂ３、Ｂ４、Ｂ１’  潜像印刷物
Ｌ    レンチキュラーレンズ
Ｆ    フィルタ
Ｘ    変位
Ｙ    変位
１    基材
２    地模様
３    第１の領域
４    第２の領域
５    印刷領域
６    第３の領域
７    模様領域
３’、４’、５’、６’、７’  画素
Ｋ  、Ｋ１、Ｋ２、Ｋ３、Ｋ４  光源
ａ  、ｂ  画素領域
【手続補正３】
【補正対象書類名】図面
【補正対象項目名】図４
【補正方法】変更
【補正の内容】
【図４】
2008207335.tif 000014